(57)【要約】【課題】防犯性が高いシャッターユニットを提供する。【解決手段】開口部に設けられた左右一対のガイドレールと、前記一対のガイドレール間にわたって設けるとともに互いに間隔を隔てて連結された複数の棒状部材、及び、各々の前記棒状部材に取り付けられたスラット、を有する昇降可能なシャッターカーテンと、を有する。【選択図】図７
2008297876.tif 000002
【特許請求の範囲】
【請求項１】
開口部に設けられた左右一対のガイドレールと、
前記一対のガイドレール間にわたって設けるとともに互いに間隔を隔てて連結された複数の棒状部材、及び、各々の前記棒状部材に取り付けられたスラット、を有する昇降可能なシャッターカーテンと、
を有することを特徴とするシャッターユニット。
【請求項２】
請求項１に記載のシャッターユニットであって、
前記スラットは、前記棒状部材を軸として前記シャッターカーテンの昇降方向に沿う閉姿勢と、前記閉姿勢から回動した開姿勢とにわたって開閉回動可能であることを特徴とするシャッターユニット。
【請求項３】
請求項２に記載のシャッターユニットであって、
前記スラットを前記閉姿勢となるように付勢する付勢部材を有することを特徴とするシャッターユニット。
【請求項４】
請求項２又は請求項３に記載のシャッターユニットであって、
前記スラットは、前記昇降方向のいずれか一方の縁部に溝部を有し、
前記スラットが前記閉姿勢で前記シャッターカーテンが限界まで降下した際に、隣接する前記スラットのうちの一方のスラットが有する前記溝部に、他方のスラットの他方の縁部が挿入されることを特徴とするシャッターユニット。
【請求項５】
請求項１乃至請求項４のいずれかに記載のシャッターユニットであって、
隣接する２本の前記棒状部材を連結するリンクバーと、
２本の腕部を有するとともに、前記リンクバーに形成された前記昇降方向に沿う長孔内で軸支された回動軸を中心に回動可能な腕部材と、
前記スラットに固定され、前記隣接する２本の棒状部材のうちの一方の棒状部材、及び、前記２本の腕部のうちの一方の腕部と各々回動可能に係合された係合部材と、
を有し、
他方の前記腕部が前記昇降方向に操作されて、前記回動軸及び前記腕部材が前記昇降方向に移動するとともに前記腕部材及び前記係合部材が回動することにより前記スラットの回動角度が変更されることを特徴とするシャッターユニット。
【請求項６】
請求項５に記載のシャッターユニットであって、
前記棒状部材ごとに設けられた複数の前記腕部材は、前記他方の腕部を介して互いに連結されていることを特徴とするシャッターユニット。
【発明の詳細な説明】
【技術分野】
【０００１】
本発明は、シャッターカーテンを昇降させるシャッターユニットに関する。
【背景技術】
【０００２】
シャッターカーテンを昇降させるシャッターユニットとしては、左右方向に長尺板状のスラット本体と、スラット本体の左右両側に組み込まれている左右一対の連結部材と、を備えた複数のスラットのうちの隣接するスラットの２枚ずつが、長手方向における両端部にて長板状のリンクにより連結されてシャッターカーテンが構成されている。シャッターカーテンは、躯体に固定されるガイドレールが有する溝に、連結部材に設けられスラット本体から外側に突出されている連結片部が嵌合されて案内されている（例えば、特許文献１参照）。
【特許文献１】特開２００１−２７１５７４号公報
【発明の開示】
【発明が解決しようとする課題】
【０００３】
しかしながら、上記シャッターユニットは、ガイドレールの溝に嵌合されている部位がスラットの長手方向における両端側に設けられている連結部材の連結片部であるため、各スラットの中央側の部位は長尺板状のスラット本体だけなので剛性が低く、故意に面外方行に引っ張るとスラットが屈曲して連結片部がガイドレールの溝から抜け出る畏れやスラット自体が破壊される畏れがあり防犯性が低いという課題がある。
【０００４】
本発明は、かかる課題に鑑みてなされたものであり、その目的とするところは、防犯性が高いシャッターユニットを提供することにある。
【課題を解決するための手段】
【０００５】
かかる目的を達成するために本発明のシャッターユニットは、開口部に設けられた左右一対のガイドレールと、前記一対のガイドレール間にわたって設けるとともに互いに間隔を隔てて連結された複数の棒状部材、及び、各々の前記棒状部材に取り付けられたスラット、を有する昇降可能なシャッターカーテンと、を有することを特徴とするシャッターユニットである。  
このようなシャッターユニットによれば、スラットは複数の棒状部材の各々に取り付けられているので屈曲されにくい。また、複数の棒状部材が一対のガイドレール間にわたって設けられているので、棒状部材に取り付けられたスラットが一対のガイドレール間のどの位置においても屈曲されにくい。また、複数の棒状部材が一対のガイドレール間、すなわち開口部の左右にわたっている状態が維持されるので、高い防犯性を備えることが可能である。
【０００６】
かかるシャッターユニットであって、前記スラットは、前記棒状部材を軸として前記シャッターカーテンの昇降方向に沿う前記閉姿勢と、閉姿勢から回動した開姿勢とにわたって開閉回動可能であることが望ましい。  
このようなシャッターユニットによれば、スラットが棒状部材を軸として回動するので、棒状部材を回動中心としてスラットの角度を変更することが可能である。このため、棒状部材がガイドレールに係合した状態のままでスラットの角度を変更して採光及び通気することが可能である。
【０００７】
かかるシャッターユニットであって、前記スラットを前記閉姿勢となるように付勢する付勢部材を有することが望ましい。  
このようなシャッターユニットによれば、意図的にスラットを開状態にしない限り、付勢部材によりスラットを閉姿勢にて維持させることが可能である。
【０００８】
かかるシャッターユニットであって、前記スラットは、前記昇降方向のいずれか一方の縁部に溝部を有し、前記スラットが前記閉姿勢で前記シャッターカーテンが限界まで降下した際に、隣接する前記スラットのうちの一方のスラットが有する前記溝部に、他方のスラットの他方の縁部が挿入されることが望ましい。  
このようなシャッターユニットによれば、隣接するスラットのうちの一方のスラットが有する溝部に他方のスラットの他方の縁部が挿入されるので、複数のスラットが繋がってスラットの他方の縁部が外部に露出しなくなるとともに、他方のスラットの他方の縁部が一方のスラットの溝部に保持されてスラットが回動できない状態となる。このため、防犯性がより向上する。
【０００９】
かかるシャッターユニットであって、隣接する２本の前記棒状部材を連結するリンクバーと、２本の腕部を有するとともに、前記リンクバーに形成された前記昇降方向に沿う長孔内で軸支された回動軸を中心に回動可能な腕部材と、前記スラットに固定され、前記隣接する２本の棒状部材のうちの一方の棒状部材、及び、前記２本の腕部のうちの一方の腕部と各々回動可能に係合された係合部材と、を有し、他方の前記腕部が前記昇降方向に操作されて、前記回動軸及び前記腕部材が前記昇降方向に移動するとともに前記腕部材及び前記係合部材が回動することにより前記スラットの回動角度が変更されることが望ましい。  
このようなシャッターユニットによれば、他方の腕部が操作されることにより、回動軸及び腕部材が昇降方向に移動するとともに腕部材及び係合部材が回動し、係合部材に固定されているスラットの回動角度が変更される。このため、他方の腕部を操作するだけで容易にスラットの回動角度を変更することが可能なシャッターユニットを提供することが可能である。
【００１０】
かかるシャッターユニットであって、前記棒状部材ごとに設けられた複数の前記腕部材は、前記他方の腕部を介して互いに連結されていることが望ましい。  
このようなシャッターユニットによれば、複数の棒状部材に各々設けられた腕部材の他方の腕部を介して互いに連結されているので、いずれかの他方の腕部を操作するだけですべてのスラットの角度を変更することが可能である。
【発明の効果】
【００１１】
本発明によれば、防犯性が高いシャッターユニットを提供することが可能である。
【発明を実施するための最良の形態】
【００１２】
以下、本発明の一実施形態に係るシャッターユニット１０について、図を参照して説明する。  
本実施の形態に係るシャッターユニット１０は、例えば屋内外の境界の開口部に設けられ、図１乃至図３に示すように、開口を開閉するために昇降される昇降可能なシャッターカーテン１２と、シャッターカーテン１２の端部をガイドするための左右一対のガイドレール１４と、ガイドレール１４の上部に設けられたシャッターケース５４と、シャッターケース５４内に設けられシャッターカーテン１２を昇降させるための昇降装置５０と、を有している。
【００１３】
以下の説明では、シャッターユニット１０を屋内側から見たときに上下となる方向を上下方向、左右となる方向を左右方向または見付け方向、屋内外方向である奥行き方向を見込み方向（面外方向）として示す。
【００１４】
シャッターカーテン１２は、長手方向が水平となるように横に向けられて上下方向に互いに間隔を隔ててリンクバー２２を介して連結された複数の棒状部材としてのステンレス製のパイプ体２０と各々のパイプ体２０に取り付けられたスラット３０とを有している。
【００１５】
スラット３０は、ほぼ平坦な板状の部材であり、シャッターカーテン１２として吊り下げられた際に、下端となる縁部３０ｄが折り返されて重ねられており、上端となる縁部には長手方向全長にわたって溝部３０ａが連続して設けられている。
【００１６】
複数のパイプ体２０は、長手方向における両端側の２箇所と、それらの間の長さをほぼ３等分する位置の２箇所と、の合計４箇所にて、上下に隣接する２本のパイプ体２０同士がリンクバー２２により連結されている。また、リンクバー２２による連結部２１にて１本のパイプ体２０に１枚のスラット３０が固定されている。すなわち、１枚のスラットは１本のパイプ体２０に４箇所にて固定されている。そして、スラット３０は、パイプ体２０を軸として回動可能に設けられており、スラット３０の回動角度は変更可能である。
【００１７】
本実施形態のシャッターユニットは、各スラット３０がパイプ体２０を軸として回動されることにより、スラット３０の表面がほぼ水平になる姿勢からリンクバー２２に沿うようにほぼ鉛直となる姿勢（閉姿勢）まで回動する。尚、閉姿勢から回動した状態を開姿勢とする。このため、複数のパイプ体２０にて開口が閉じられた状態であっても、スラット３０の表面がほぼ水平となる状態（開姿勢）では、広い開口面積を得ることが可能であり、スラット３０の表面がほぼ鉛直となる状態（閉姿勢）では、開口をほぼ閉塞することが可能である。このとき、パイプ体２０をシャッターケース５４内にて巻き取る際にスラット３０の移動によりスラット３０の上縁部がリンクバー２２に接触しないように、スラット３０の上縁には切り欠き３０ｂ（図４）が設けられている。また、シャッターカーテン１２のスラット３０を必要に応じて回動させて、スラット３０の表面を傾斜させることにより、採光及び通気の量を調節可能である。
【００１８】
昇降装置５０は、シャッターカーテン１２の最上端側のパイプ体２０が連結され、回動することによりシャッターカーテン１２が巻き取られ、また、繰り出される回動体５２と、回動体５２を回動させてシャッターカーテン１２を昇降させるために回動体５２との間にクラッチを介して設けられたモータ（不図示）と、シャッターカーテン１２が巻き上げられる方向に回動体５２が回動するように付勢するコイルばね（不図示）とを有している。
【００１９】
モータは、駆動されていないとき、また、電力が供給されていないときにモータが回転しないようにブレーキが内蔵されている。また、コイルばねは、巻き上げ動作によるモータへの負荷を軽減し、クラッチによりモータとの接続が切り離された場合には、コイルばねの付勢力によりシャッターカーテン１２が巻き上げられるように構成されている。
【００２０】
次に、スラット３０のパイプ体２０への取り付け構造及びスラットの角度変更機構について説明するが、各スラット３０及び各スラット３０の長手方向の４箇所におけるパイプ体２０への取り付け構造及びスラットの角度変更機構はほぼ同様なので、ここでは、１本のパイプ体２０に対するスラット３０の一つの固定箇所について説明する。
【００２１】
図４に示すように、パイプ体２０への取り付け構造及びスラットの角度変更機構は、固定箇所ごとに、パイプ体２０が挿通される２本のリンクバー２２と、リンクバー２２とスラット３０とを連結するための係合部材としてのスラット連結板２４と、リンクバー２２とスラット連結板２４とを連結する腕部材２６と、スラット３０を閉姿勢になるように（スラット３０の表面がほぼリンクバー２２に沿うように）付勢するための付勢部材としてのコイルばね３９と、リンクバー２２と腕部材２６及びスラット連結板２４と腕部材２６を連結するための回動軸としてのピン３８、４０と、シャッターカーテン１２を吊り下げた際に上下に位置する腕部材２６同士をワイヤ３７にて連結するために腕部材２６にカシメられるワイヤ固定ピン３６と、を有している。
【００２２】
パイプ体２０は、３本のパイプ材２０ａと、３本のパイプ材２０ａを連結するための２本のパイプ連結材２０ｃとを有している。各パイプ材２０ａには、互いに連結される端部側に中実の部位が設けられており、中実の部位にパイプ材２０ａの軸方向に沿ってねじ穴２０ｂが形成されている。パイプ連結材２０ｃは、パイプ材２０ａの直径より僅かに小径の軸部２０ｄを有し、軸部２０ｄの両端に雄ねじ２０ｅがそれぞれ突出されている。３本のパイプ材２０ａは、パイプ体２０の長手方向において中央側にてリンクバー２２が設けられている２箇所において、パイプ連結材２０ｃの互いに反対方向に突出された雄ねじ２０ｅが２本のパイプ材２０ａのねじ穴２０ｂにそれぞれ螺合されて連結されている。
【００２３】
隣接する２本のパイプ体２０を上下方向に間隔を隔てて連結するリンクバー２２は、細長いほぼ板状の部材であり、長手方向の一端側にパイプ連結材２０ｃの軸部２０ｄの直径より僅かに大きくパイプ連結材２０ｃが回動可能に貫通される貫通穴２２ａと、他端側にパイプ連結材２０ｃの軸部２０ｄの直径より僅かに大きな幅を有し、リンクバー２２の長手方向に長く形成された縦長穴２２ｂと、貫通穴２２ａと縦長穴２２ｂとの間に、長手方向に沿って設けられ、縦長穴２２ｂより十分に長く形成された長孔としての貫通長穴２２ｃとを有している。
【００２４】
連結された複数のパイプ体２０のうち、吊り下げられた際に最上及び最下に位置するパイプ体２０を除く各パイプ体２０には、各固定箇所に２つのリンクバー２２が設けられている。２つのリンクバー２２のうち上側に位置する上リンクバー２２ｄは、パイプ体２０が縦長穴２２ｂに挿通されて上方にて隣接する他のパイプ体２０が貫通穴２２ａに挿通されて、２本のパイプ体２０が連結されている。また、２つのリンクバー２２のうちの下側に位置する下リンクバー２２ｅは、パイプ体２０が貫通穴２２ａに挿通されて下方にて隣接する他のパイプ体２０が縦長穴２２ｂに挿通されて、２本のパイプ体２０が上下方向にて連結されている。このように、各リンクバー２２は、上下に位置する２本のパイプ体２０にて共有されている。そして、単一のリンクバー２２に挿通された２本のパイプ体２０のうち縦長穴２２ｂに挿通されたパイプ体２０が、貫通穴２２ａに挿通されたパイプ体２０に対し縦長穴２２ｂの範囲内で移動可することにより、２本のパイプ体２０間の間隔が変更可能に構成されている。このとき、単一のリンクバー２２の貫通穴２２ａと縦長穴２２ｂとに挿通されている２本のパイプ体２０の間隔は、下側のパイプ体２０が縦長穴２２ｂの下端に位置する場合、すなわち２本のパイプ体２０の間隔が最も広い場合は、スラット３０の上下方向（シャッターカーテンの昇降方向）の幅より広く、下側のパイプ体２０が縦長穴２２ｂの上端に位置する場合、すなわち２本のパイプ体２０の間隔が最も狭いときの間隔は、スラット３０の上下方向（シャッターカーテンの昇降方向）の幅より狭く形成されている。このため、昇降装置５０によりシャッターカーテン１２が最も下まで、すなわち限界まで降ろされている場合には、下リンクバー２２ｅの縦長穴２２ｂに挿通されているパイプ体２０が縦長穴２２ｂの上端に位置して、上下に隣接する２本のパイプ体２０間の距離が狭くなる。そして、図３（ａ）に示すように上下方向に隣接する２枚のスラット３０のうち、上方に位置するスラット３０の下端となる縁部３０ｄが下方に位置するスラット３０の溝部３０ａに挿入されて、スラット３０同士が繋がった状態となる。
【００２５】
一方、シャッターカーテン１２が最も下まで降ろされた位置（限界位置）から、最下のパイプ体２０が地面等から離れない程度に昇降装置５０により引き上げられた状態、すなわち、下リンクバー２２ｅの縦長穴２２ｂに挿通されているパイプ体２０が縦長穴２２ｂの下端に位置して、上下に隣接する２本のパイプ体２０間の距離が最も広くなると、図３（ｂ）に示すように上下方向に隣接する２枚のスラット３０の間に間隙Ｓが形成される。このような上下方向に隣接する２枚のスラット３０のうち、上方に位置するスラット３０の下の縁部３０ｄが下方に位置するスラット３０の溝部３０ａから抜け出た状態で、図３（ｃ）に示すように、スラット３０の傾斜角度を変更することが可能となる。
【００２６】
また、パイプ体２０には、当該パイプ体２０が貫通穴２２ａに挿通されている下リンクバー２２ｅとともに、スラット３０を固定するためのスラット連結板２４が、下リンクバー２２ｅとの間にコイルばね３９を介して取り付けられている。
【００２７】
スラット連結板２４は、スラット３０の屋内側面３０ｃに例えば溶接等にて接合される平板部２４ａと、スラット連結板２４がスラットに接合された際にスラット３０の長手方向における一方の縁から延出されてパイプ体２０が挿通される挿通穴２４ｂを有する回動部２４ｃと、シャッターカーテン１２が吊り下げられた際に回動部２４ｃより下方に設けられ、スラット連結板２４と下リンクバー２２ｅとを連結するための２本の腕部を有する腕部材２６が回動可能に設けられる腕回動支持部２４ｄとを有している。
【００２８】
腕部材２６は、リンクバー２２の貫通長穴２２ｃを貫通するピン３８にて、貫通長穴２２ｃに沿って移動可能であるとともに、ピン３８を中心に回動可能に軸支されている。腕部材２６には、ピン３８の位置を中心として放射状の互いに異なる方向に２本の腕部２６ａ、２６ｂが形成されている。一方の腕部２６ａは、スラット連結板２４の腕回動支持部２４ｄにピン４０により回動可能に固定されており、他方の腕部２６ｂの端部側にはワイヤ３７が固定されたワイヤ固定ピン３６がカシメられている。
【００２９】
スラット３０の表面がほぼ鉛直に沿う状態（シャッターカーテン１２の昇降方向に沿う状態）となる閉姿勢では、図５左図に示すように、ピン３８が貫通長穴２２ｃの下端に位置し、スラット連結板２４の腕回動支持部２４ｄに連結された一方の腕部２６ａはピン３８のほぼ上方に位置している。このとき、ワイヤ３７が固定されたワイヤ固定ピン３６を有する他の腕部２６ｂはピン３８より屋内側かつ僅か下方に突出し、ワイヤ３７はほぼ鉛直方向に延びている。
【００３０】
図５右図に示すように、ワイヤ３７が上方に引っ張られると、他の腕部２６ｂ及び腕部材２６全体を上方に引き上げる方向に力が作用する。このとき、腕部材２６の一方の腕部２６ａはスラット連結板２４の腕回動支持部２４ｄに連結されて上昇できないため、腕部材２６はピン３８を中心に他の腕部２６ｂが上方に移動するように回動しつつ上昇する。また、このとき一方の腕部は、リンクバー２２から離れるように屋外側に向かって移動しつつ回動し、スラット３０を屋外側に押すことによりパイプ体２０が回動してスラット３０の下端側の縁部３０ｄがリンクバー２２から離れるように移動して、スラット３０の回動角度が変更される。そして、ワイヤ３７により引き上がられ、腕部材２６の回動中心となるピン３８が貫通長穴２２ｃの上端に当接された状態で、スラット３０の表面はほぼ水平をなし、スラット３０が最も開いた状態となる。
【００３１】
スラット３０の長手方向においてリンクバー２２が設けられている４箇所の連結部２１のうち、スラット３０の長手方向における両端側（最もガイドレール１４側）に位置する連結部２１のいずれかの腕部材２６には、図６に示すような操作アーム３２が固定されている。操作アーム３２は、腕部材２６の他の腕部２６ｂより屋内側に突出された部材である。この操作アーム３２が上下方向に操作されることにより、操作アーム３２が固定されている腕部材２６が回動され、回動された腕部材２６とワイヤ３７に接続されているすべての腕部材２６が回動することにより、すべてのスラット３０はほぼ同様に傾斜角度が変更される。
【００３２】
操作アーム３２は、シャッターケース５４内に設けられたモータ５６と、モータ５６の軸に接続されたワイヤ５７とワイヤ５７の先端に設けられた操作フック５８とでなる、操作部により操作される。すなわち、操作フック５８は通常、吊り下げられた状態のシャッターカーテン１２の操作アーム３２より下方に配置され、モータ５６により上下移動可能に設けられている。そして、モータ５６にはワイヤ５７の一端が固定されワイヤ５７の他端には操作フック５８が設けられている。モータ５６によりワイヤ５７が巻き上げられると、操作フック５８が引き上げられて操作アーム３２と係合し、操作アーム３２を上方に引き上げる。また、モータ５６によりワイヤ５７がくり出されると、操作フック５８が降下して操作アーム３２を下方に回動させ、コイルばね３９により閉姿勢となるように付勢されたスラット３０がほぼ鉛直となった位置で、操作アーム３２と操作フック５８との係合が外れるように構成されている。
【００３３】
一対のガイドレール１４は、屋内外の境界の開口部等に取り付けられた左右の枠体１６に互いに対向する位置に設けられ、互いに対向するように上下方向に沿ったスリット１４ａと枠体１６内の空間１６ａとを有して略凹形状に形成される。そして、左右一対のガイドレール１４間に渡されたパイプ体２０の両端部が、当該ガイドレール１４に案内されつつ昇降する。
【００３４】
ガイドレール１４は、図７に示すように、水平断面が単一の押出成形部材でなる枠体１６にて形成されており、左右の枠体１６の水平断面は左右が反転した対象形状をなしている。シャッターカーテン１２が有する各パイプ体２０の両端部がスリット１４ａから枠体１６内の空間１６ａに挿入されることによってガイドレール１４に案内されてシャッターカーテン１２が昇降される。スリット１４ａを形成する屋内側の面には、シャッターカーテン１２が昇降される際にパイプ体２０が摺動される摺接部材１７が設けられており、スリット１４ａを形成する屋外側の面には、シャッターカーテン１２との隙間を塞ぐブラシ状の止水部材１８が設けられており、パイプ体２０は止水部材１８により摺接部材１７側に僅かに付勢されつつ昇降する。
【００３５】
一対のガイドレール１４間に渡された各パイプ体２０の両端部における各パイプ体２０の端２０ｆとガイドレール１４をなす枠体１６内の空間１６ａとの間隙ａ、ｂの距離の和（ａ＋ｂ）は、各パイプ体２０の両端部においてガイドレール１４と係合しているパイプ体２０の長さ（枠体１６内に入り込んでいる長さ）ｃ、ｄの和（ｃ＋ｄ）より小さく形成されている。
【００３６】
このため、本実施形態のシャッターユニット１０によれば、たとえシャッターカーテン１２を見付け方向の一方側に偏るように移動させたとしても、シャッターカーテン１２の他方側の端部がガイドレール１４から外れることはない。また、複数のステンレス製のパイプ体２０を有し剛性が高く湾曲しにくいシャッターカーテン１２が、対向するガイドレール１４に渡されているので、シャッターカーテン１２を屋外側から引っ張ったとしてもシャッターカーテン１２がガイドレール１４から外れ難い。さらに、パイプ体２０に取り付けられたスラット３０は一対のガイドレール１４間のどの位置においても屈曲され難い。よって、防犯性が高いシャッターユニットを提供することが可能である。
【００３７】
また、スラット３０がパイプ体２０を軸として回動するので、パイプ体２０を回動中心としてスラット３０の角度を変更することが可能である。このため、採光、通風性に優れるとともに防犯性が高いシャッターユニット１０を提供することが可能である。
【００３８】
また、スラット３０は、他方の腕部２６ｂが操作されることにより、ピン３８及び腕部材２６が昇降方向、すなわち上下方向に移動するとともに腕部材２６及びスラット連結板２４が回動し、スラット連結板２４に固定されているスラット３０の角度が変更される。このため、他方の腕部２６ｂを操作するだけで容易にスラット３０の角度を変更することが可能である。このとき、複数のパイプ体２０に各々設けられた腕部材２６の他方の腕部２６ｂが互いにワイヤ３７にて連結されているので、いずれかの他方の腕部２６ｂを操作するだけですべてのスラット３０の角度を変更することが可能である。
【００３９】
さらに、複数のパイプ体２０に各々設けられた腕部材２６のうちの１つに操作されることにより連結された腕部材２６が回動する操作アーム３２が固定されているので、操作アーム３２を操作するだけでスラット３０の角度を変更することが可能である。このため、簡単な機構にてすべてのスラット３０の角度を変更させることが可能である。
【００４０】
また、隣接する２本のパイプ体２０のうちの一方が、リンクバー２２に設けられた昇降方向に移動可能な縦長穴２２ｂに支持されているので、隣接する２本のパイプ体２０間の間隔に自由度を持たせることが可能である。
【００４１】
また、スラット３０はコイルばね３９により閉姿勢になるように（スラット３０の下端となる縁部３０ｄがリンクバー２２に近づく方向）に付勢されているので、パイプ体２０が回動されない場合には、スラット３０を閉姿勢にて維持させることが可能である。すなわち、シャッターカーテン１２を、複数のスラット３０にてほぼ平面を形成するような状態に維持させることが可能である。
【００４２】
さらに、上下に隣接するスラット３０のうちの下方のスラット３０が有する溝部３０ａに、上方のスラット３０の下端となる縁部３０ｄが挿入されるので、複数のスラット３０が繋がって、スラット３０の縁部３０ｄが外部に露出しなくなるとともに、上方のスラット３０の下方の縁部３０ｄが下方のスラット３０の溝部３０ａに保持されてスラット３０が回動できない状態となる。このため、防犯性がより向上する。特に、下方のスラット３０に設けられた溝部３０ａは、スラット３０の長手方向における一方の端から他方の端に渡って設けられており、この溝部３０ａに、上方のスラット３０の下端となる縁部３０ｄが、挿入されるので、広い領域にて上方のスラット３０の下端側縁部３０ｄが下方のスラット３０の溝部３０ａに保持される。このため、シャッターカーテン１２を閉塞した状態における防犯性がより向上する。
【００４３】
そのうえ、各スラット３０が閉姿勢にて複数のスラット３０にてほぼ平面を形成するような状態であっても、下リンクバー２２ｅの縦長穴２２ｂに挿通されているパイプ体２０が縦長穴２２ｂの下端に位置する状態までシャッターカーテンが巻き上げられた場合には、隣接するスラット３０間に間隙Ｓが形成されるので、視界を遮りつつも採光及び通風が可能なシャッターユニット１０を提供することが可能である。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４５】
【図１】本実施形態に係るシャッターユニットを屋内側から見た図である。
【図２】本実施形態に係るシャッターユニットを説明するための縦断面図である。
【図３】図３（ａ）は、シャッターカーテンが最も下方に降ろされた状態を説明するための側面図である。図３（ｂ）は、シャッターカーテンが巻き上げられる状態を説明するための側面図である。図３（ｃ）は、スラットの角度が変更される状態を説明するための側面図である。
【図４】スラットのパイプ体への取り付け構造を説明するための図である。
【図５】スラットの角度変更機構を説明するための図である。
【図６】操作アームの動作を説明するための図である。
【図７】シャッターカーテンとガイドレールとの位置関係を説明するための図である。
【符号の説明】
【００４６】
１０  シャッターユニット、１２  シャッターカーテン、１４  ガイドレール、
１４ａ  スリット、１６  縦枠、１６ａ  空間、２０  パイプ体、２０ｆ  端、
２２  リンクバー、２２ａ  貫通穴、２２ｂ  縦長穴、２２ｃ  貫通長穴、
２４  スラット連結板、２６  腕部材、２６ａ  一方の腕部、２６ｂ  他方の腕部、
３０  スラット、３０ａ  溝部、３０ｄ  縁部、３２  操作アーム、３７  ワイヤ、
３８  ピン、
ａ  間隙、ｂ  間隙、Ｓ  間隙
【図１】
2008297876.tif 000003
【図２】
2008297876.tif 000004
【図３】
2008297876.tif 000005
【図４】
2008297876.tif 000006
【図５】
2008297876.tif 000007
【図６】
2008297876.tif 000008
【図７】
2008297876.tif 000009